(57)【要約】【課題】操作棒の操作でスラットの移動操作及び角度調節操作を可能しながら、先頭ランナーと他のランナーとを共通化し、かつスラットの畳み込み寸法を縮小し得る縦型ブラインドの操作装置を提供する。【解決手段】チルト軸５を回転駆動するチルトランナー９ａを先頭ランナー２ａに先行する位置でハンガーレール１に移動可能に支持し、チルトランナー９ａは連結棹１１ａで先頭ランナー２ａに連結し、連結棹１１ａは先頭ランナー２ａの車軸に回動可能に連結し、チルトランナー９ａから操作棒１０を吊下支持した。【選択図】図１
2006283544.tif 000002
【特許請求の範囲】
【請求項１】
ハンガーレール内に多数のランナーを移動可能に支持し、前記各ランナーからそれぞれスラットを回動可能に吊下支持し、操作棒で先頭ランナーをハンガーレールに沿って移動させることにより、各ランナーを先頭ランナーに追随させて前記スラットの引き出し及び畳み込み操作を行い、前記操作棒を回転操作することにより、各ランナーに挿通されたチルト軸を回転させて、前記スラットの角度調節を行う縦型ブラインドにおいて、
前記チルト軸を回転駆動するチルトランナーを前記先頭ランナーに先行する位置で前記ハンガーレールに移動可能に支持し、前記チルトランナーは連結棹で前記先頭ランナーに連結し、前記連結棹は前記先頭ランナーの車軸に回動可能に連結し、前記チルトランナーから前記操作棒を吊下支持したことを特徴とする縦型ブラインドの操作装置。
【請求項２】
前記連結棹は、前記ランナーの車輪が転動するレール部内を摺動可能とし、前記チルトランナーは、ケースに入力軸と出力軸とを回転可能に支持し、前記出力軸に前記チルト軸を相対移動可能にかつ相対回転不能に挿通し、前記入力軸から前記操作棒を吊下支持し、前記入力軸と出力軸とを歯車で連結し、前記ケースと前記連結棹とを回動不能に連結したことを特徴とする請求項１記載の縦型ブラインドの操作装置。
【請求項３】
前記連結棹は、前記チルトランナー及び先頭ランナーの両側を連結するように一対設けたことを特徴とする請求項１又は２記載の縦型ブラインドの操作装置。
【請求項４】
前記連結棹とケースは、その一方に連結孔を設け、他方に該連結孔に嵌合する連結軸を設けて、互いに回動不能に連結したことを特徴とする請求項２又は３記載の縦型ブラインドの操作装置。
【請求項５】
前記ケースには、前記連結棹を上下方向に挟む突部を設けて、該連結棹に対し回動不能としたことを特徴とする請求項２乃至４のいずれか１項に記載の縦型ブラインドの操作装置。
【請求項６】
前記ハンガーレールには、前記チルトランナーの移動方向に対する捩れを防止する案内部を設けたことを特徴とする請求項１乃至５のいずれか１項に記載の縦型ブラインドの操作装置。
【請求項７】
前記ハンガーレールの端部には、前記チルトランナーを保持する保持手段を設けたことを特徴とする請求項１乃至６のいずれか１項に記載の縦型ブラインドの操作装置。
【請求項８】
前記ランナーから素材の異なる複数のスラット群を吊下支持し、前記スラット群間において前記ハンガーレールにチルトランナーを配設し、該チルトランナーと、該チルトランナーに隣り合う中間先頭ランナーとを前記連結棹で連結したことを特徴とする請求項１乃至７のいずれか１項に記載の縦型ブラインドの操作装置。
【請求項９】
前記スラット群は、遮光性を備えた生地で構成される第一のスラット群と、レース生地で構成される第二のスラット群で構成したことを特徴とする請求項８記載の縦型ブラインドの操作装置。
【発明の詳細な説明】
【技術分野】
【０００１】
この発明は、縦型ブラインドのスラットをハンガーレールに沿って移動させるスラット操作装置に関するものである。
【背景技術】
【０００２】
縦型ブラインドは、ハンガーレール内を移動可能に支持された多数のランナーからそれぞれスラットが角度調節可能に吊下支持され、スラットをハンガーレールに沿って引き出し、かつスラットの角度を調節することにより、室内への採光量を適宜調節可能である。
【０００３】
このような縦型ブラインドの一種類として、先頭ランナーから操作棒を吊下支持し、その操作棒を操作して先頭ランナーをハンガーレールに沿って移動させることにより、各ランナーを追随させて、スラットの引き出し操作及び畳み込み操作を行い、かつ操作棒を回転操作することにより、各スラットを同位相で角度調節可能としたものがある。
【０００４】
すなわち、各ランナーはスペーサーで連結され、先頭ランナーを操作棒で移動させることにより、後続のランナーを移動させる。また、各ランナーにはチルト軸が嵌挿され、そのチルト軸の回転にともなってスラットを回動させるウォーム機構が内蔵される。そして、操作棒を回転操作することにより、先頭ランナーに取着されたギヤボックスを介してチルト軸を回転させ、そのチルト軸の回転により各スラットを同位相で回動させるようになっている。
【０００５】
特許文献１，２には、操作棒の操作によりスラットをハンガーレール沿って移送可能とした縦型ブラインドが開示されている。
【特許文献１】特開２００１−３４９１５８号
【特許文献２】実開昭６３−２１６７８号公報
【発明の開示】
【発明が解決しようとする課題】
【０００６】
上記のような縦型ブラインドでは、操作棒の回転操作に基づいてチルト軸を回転駆動するギヤボックスを先頭ランナーに取着する必要がある。
特許文献１に記載された縦型ブラインドでは、先頭ランナーの前後方向両側面を、アームを介してギヤボックスに連結している。このため、先頭ランナーは他のランナーと異なる形状となり、部品点数が増大するという問題点がある。
【０００７】
特許文献２に記載された縦型ブラインドでは、先頭ランナーと２番目のランナーとの間にギヤボックスを配設し、ギヤボックスと先頭ランナー及び２番目のランナーとの間隔をスペーサーで一定に保持し、そのギヤボックスから操作棒を吊下支持することにより、ギヤボックスの移動操作に基づいて各ランナーを移動操作可能としている。
【０００８】
このため、先頭ランナーに吊下支持されるスラットを２番目のランナーに吊下支持されたスラットに近接するまで畳み込むことはできない。また、先頭ランナーに吊下支持されるスラットと２番目のランナーに吊下支持されるスラットとの間で操作棒が吊下支持される。
【０００９】
従って、このような縦型ブラインドでは、ハンガーレールの端部において、スラットの畳み込み寸法を十分に確保できるような設置条件が必要となる。
この発明の目的は、操作棒の操作でスラットの移動操作及び角度調節操作を可能しながら、先頭ランナーと他のランナーとを共通化し、かつスラットの畳み込み寸法を縮小し得る縦型ブラインドの操作装置を提供することにある。
【課題を解決するための手段】
【００１０】
請求項１では、ハンガーレール内に多数のランナーを移動可能に支持し、前記各ランナーからそれぞれスラットを回動可能に吊下支持し、操作棒で先頭ランナーをハンガーレールに沿って移動させることにより、各ランナーを先頭ランナーに追随させて前記スラットの引き出し及び畳み込み操作を行い、前記操作棒を回転操作することにより、各ランナーに挿通されたチルト軸を回転させて、前記スラットの角度調節を行う縦型ブラインドにおいて、前記チルト軸を回転駆動するチルトランナーを前記先頭ランナーに先行する位置で前記ハンガーレールに移動可能に支持し、前記チルトランナーは連結棹で前記先頭ランナーに連結し、前記連結棹は前記先頭ランナーの車軸に回動可能に連結し、前記チルトランナーから前記操作棒を吊下支持した。
【００１１】
請求項２では、前記連結棹は、前記ランナーの車輪が転動するレール部内を摺動可能とし、前記チルトランナーは、ケースに入力軸と出力軸とを回転可能に支持し、前記出力軸に前記チルト軸を相対移動可能にかつ相対回転不能に挿通し、前記入力軸から前記操作棒を吊下支持し、前記入力軸と出力軸とを歯車で連結し、前記ケースと前記連結棹とを回動不能に連結した。
【００１２】
請求項３では、前記連結棹は、前記チルトランナー及び先頭ランナーの両側を連結するように一対設けた。
請求項４では、前記連結棹とケースは、その一方に連結孔を設け、他方に該連結孔に嵌合する連結軸を設けて、互いに回動不能に連結した。
【００１３】
請求項５では、前記ケースには、前記連結棹を上下方向に挟む突部を設けて、該連結棹に対し回動不能とした。
請求項６では、前記ハンガーレールには、前記チルトランナーの移動方向に対する捩れを防止する案内部を設けた。
【００１４】
請求項７では、前記ハンガーレールの端部には、前記チルトランナーを保持する保持手段を設けた。
請求項８では、前記ランナーから素材の異なる複数のスラット群を吊下支持し、前記スラット群間において前記ハンガーレールにチルトランナーを配設し、該チルトランナーと、該チルトランナーに隣り合う中間先頭ランナーとを前記連結棹で連結した。
【００１５】
請求項９では、前記スラット群は、遮光性を備えた生地で構成される第一のスラット群と、レース生地で構成される第二のスラット群で構成した。
【発明の効果】
【００１６】
本発明によれば、操作棒の操作でスラットの移動操作及び角度調節操作を可能しながら、先頭ランナーと他のランナーとを共通化し、かつスラットの畳み込み寸法を縮小し得る縦型ブラインドの操作装置を提供することができる。
【発明を実施するための最良の形態】
【００１７】
（第一の実施の形態）
以下、この発明を具体化した縦型ブラインドの一実施の形態を図面に従って説明する。図１及び図２に示す縦型ブラインドは、ハンガーレール１内に多数のランナー２が移動可能に支持され、各ランナー２に設けられるフック３からそれぞれスラット４が吊下支持される。
【００１８】
前記各ランナー２には、図３に示すように、３条のスプラインが刻設されたチルト軸５が軸方向に相対移動可能に挿通され、そのチルト軸５の両端はハンガーレール１の両端に取着されるエンドキャップ６ａ，６ｂに回転可能に支持されている。前記各ランナー２内には前記チルト軸５の回転にともなって前記フック３を回動させるウォーム機構７が内蔵されている。
【００１９】
また、前記各ランナー２はスペーサー８で連結され、各ランナー２の最大離間距離が設定されている。
前記各ランナー２のうち、両端部に位置する先頭ランナー２ａ，２ｂと前記エンドキャップ６ａ，６ｂとの間において、前記ハンガーレール１にはチルトランナー９ａ，９ｂが移動可能に支持されている。そのチルトランナー９ａ，９ｂには前記チルト軸５が軸方向に相対移動可能に挿通されるとともに、チルトランナー９ａ，９ｂのいずれか一方（図１においては右方に位置するチルトランナー９ａ）には操作棒１０が吊下支持されている。そして、操作棒１０の回転操作に基づいてチルト軸５が回転されるようになっている。
【００２０】
また、前記チルトランナー９ａ，９ｂは連結棹１１ａ，１１ｂを介して先頭ランナー２ａ，２ｂに連結されている。従って、操作棒１０を操作してチルトランナー９ａあるいは同９ｂをハンガーレール１に沿って移動させると、先頭ランナー２ａ，２ｂに追随して各ランナー２が順次移送されるようになっている。
【００２１】
前記チルトランナー９ａ，９ｂ及び連結棹１１ａ，１１ｂは、ハンガーレール１の左右方向の中心に対し線対称状に構成される点を除いて同一構成であるので、図４〜図６に従ってチルトランナー９ａ及び連結棹１１ａ，１１ｂの構成を説明する。
【００２２】
前記チルトランナー９ａは、ケース１２に入力軸１３と出力軸１４が回転可能に支持されている。前記入力軸１３の回転軸心は垂直方向であり、出力軸１４の回転軸心は水平方向である。そして、入力軸１３及び出力軸１４の基端部には互いに噛み合う傘歯車１５がそれぞれ形成されている。
【００２３】
前記入力軸１３の下端部はケース１２の下方に露出され、掛止孔１６が形成されている。そして、前記操作棒１０の上端に形成されたフック部が掛止孔１６に引っ掛けられて吊下支持されている。従って、操作棒１０は掛止孔１６に対し、容易に着脱可能である。
【００２４】
前記出力軸１４の中心部には、前記チルト軸５が軸方向に移動可能にかつ相対回転不能に挿通されている。従って、操作棒１０を操作して入力軸１３を回転させると、傘歯車１５及び出力軸１４を介してチルト軸５が回転される。
【００２５】
前記連結棹１１ａ，１１ｂは、ケース１２の前後両側に並行して設けられる。連結棹１１ａ，１１ｂの一端には長孔１７が設けられ、その長孔１７がケース１２の前後側面に設けられる断面長円状の連結軸１８に嵌合されている。従って、連結棹１１ａ，１１ｂはケース１２に対し回動不能に連結される。
【００２６】
連結棹１１ａ，１１ｂの他端には円孔１９が形成され、その円孔１９に先頭ランナー２ａの車軸２０が回動可能に嵌合される。従って、先頭ランナー２ａは車軸２０を支点として連結棹１１ａ，１１ｂに回動可能に支持される。
【００２７】
前記車軸２０は、先頭ランナー２ａ，２ｂ以外のランナー２では車輪を回転可能に支持するものである。また、前記連結棹１１ａ，１１ｂはハンガーレール１の内側面に対向して設けられるレール部２１内に摺動可能に支持される。また、他のランナー２の車輪は、このレール部２１内を転動する。
【００２８】
図５に示すように、前記ハンガーレール１の開口縁の近傍には、上方に向かって延びるリブ２２がそれぞれ形成され、そのリブ２２と開口縁とでアングル状の案内部２３が形成されている。そして、前記ケース１２の前後方向側面の下部には、案内部２３に沿った角部２４が形成されている。従って、チルトランナー９ａがハンガーレール１内を移動するとき、角部２４が案内部２３で支持されて、ハンガーレール１に対するケース１２の捩れが生じないようになっている。
【００２９】
図７は、チルトランナー９ｂ及びそのチルトランナー９ｂに連結棹１１ａ，１１ｂで連結される先頭ランナー２ｂを示す。チルトランナー９ｂは、チルトランナー９ａに対し線対称状に構成される点を除いて同様な構成である。
【００３０】
前記エンドキャップ６ａ，６ｂは、合成樹脂で形成され、前記チルトランナー９ａ，９ｂを保持する保持部２５が設けられている。すなわち、図８に示すように、エンドキャップ６ｂの下辺には前記操作棒１０の移動軌跡上に開口する保持部（保持手段）２５が形成され、その保持部２５に前記操作棒１０を支持するケース１２の円筒部２６を嵌合可能となっている。保持部２５はその開口部の間隔が円筒部２６の径より僅かに小さくなるように形成されて、円筒部２６を弾性的に保持可能となっている。エンドキャップ６ａも同様な構成である。
【００３１】
図９及び図１０は、連結棹及びチルトランナーの別例を示す。この連結棹１１ａには、ケース１２の側面に沿って突出する四角軸２７が一体に形成され、ケース１２の側面には四角軸２７の上面及び下面に係合する突部２８ａ，２８ｂが形成されている。このような構成により、ケース１２は連結棹１１ａ，１１ｂに対し確実に回動不能となる。
【００３２】
次に、上記のように構成された縦型ブラインドの動作を説明する。
図１に示すように、ハンガーレール１の右端側に位置するチルトランナー９ａから操作棒１０を吊下支持した状態では、チルトランナー９ｂをハンガーレール１の左端側のエンドキャップ６ｂの保持部２５に保持した状態とする。
【００３３】
この状態で、操作棒１０を操作してチルトランナー９ａをハンガーレール１に沿って右方へ移動させれば、先頭ランナー２ａ及び後続のランナー２が同方向へ順次移動され、スラット４が引き出される。また、操作棒１０を回転操作すると、チルト軸５が回転されて、各スラット４が同位相で回動される。
【００３４】
一方、操作棒１０を操作して、チルトランナー９ａをハンガーレール１に沿って左方へ移動させれば、先頭ランナー２ａ及び後続のランナー２が同方向へ順次移動され、スラット４がハンガーレール１の左端部に畳み込まれる。従って、操作棒１０をチルトランナー９ａから吊下支持することにより、左納まり仕様となる。
【００３５】
右納まり仕様とする場合には、操作棒１０をチルトランナー９ｂに付け替え、チルトランナー９ａをハンガーレール１の右端側のエンドキャップ６ａの保持部２５に保持した状態とする。
【００３６】
この状態で、操作棒１０を操作してチルトランナー９ｂをハンガーレール１に沿って左方へ移動させれば、先頭ランナー２ｂ及び後続のランナー２が同方向へ順次移動され、スラット４が引き出される。また、操作棒１０を回転操作すると、チルト軸５が回転されて、各スラット４が同位相で回動される。
【００３７】
一方、操作棒１０を操作して、チルトランナー９ｂをハンガーレール１に沿って右方へ移動させれば、先頭ランナー２ａ及び後続のランナー２が同方向へ順次移動され、スラット４がハンガーレール１の右端部に畳み込まれる。
【００３８】
上記のように構成された縦型ブラインドでは、次に示す作用効果を得ることができる。
（１）操作棒１０の操作に基づいて、スラット４の引き出し及び畳み込み操作と、スラット４の角度調節操作を行うことができる。
（２）先頭ランナー２ａ，２ｂとその他のランナー２は、同一部品とすることができる。すなわち、ランナー２の車輪を取り外し、その車軸２０に連結棹１１ａ，１１ｂの円孔１９を嵌合することにより、先頭ランナー２ａ，２ｂを構成することができる。
（３）チルトランナー９ａ，９ｂは、先頭ランナー２ａ，２ｂに先行する位置で、同先頭ランナー２ａ，２ｂに連結することができる。従って、スラット４の畳み込み寸法を小さくすることができるので、設置場所の自由度を高くすることができる。
（４）チルトランナー９ａ，９ｂは、そのケース１２の角部２４がハンガーレール１の案内部２３に沿って移動する。従って、チルトランナー９ａ，９ｂの移動操作時にケース１２の前後方向の捩れを防止して、チルトランナー９ａ，９ｂを円滑に移動させることできる。
（５）チルトランナー９ａ，９ｂのケース１２は連結棹１１ａ，１１ｂの一端に設けられた長孔１７に嵌合され、その連結棹１１ａ，１１ｂはハンガーレール１のレール部２１内で水平方向に保持された状態で摺動する。すると、チルトランナー９ａ，９ｂの移動操作時に、ケース１２が移動方向に傾くことを防止することができる。従って、出力軸１４とチルト軸５との間の摩擦抵抗の増大を防止して、チルトランナー９ａ，９ｂを円滑に移動させることできる。
（６）連結棹１１ａ，１１ｂの中間部に設けた四角軸２７を、ケース１２に設けた突部２８ａ，２８ｂに係合させることにより、前記長孔１７の作用とともに連結棹１１ａ，１１ｂに対するケース１２の回動を確実に阻止することができる。従って、チルトランナー９ａ，９ｂの移動操作時に、出力軸１４とチルト軸５との間の摩擦抵抗の増大を防止して、チルトランナー９ａ，９ｂを円滑に移動させることできる。
（７）先頭ランナー２ａ，２ｂは、連結棹１１ａ，１１ｂに対し回動可能に支持されている。従って、スラット４を先頭ランナー２ａ，２ｂに取着するとき等、先頭ランナー２ａ，２ｂに車軸２０を回動支点とする回転力が作用しても、先頭ランナー２ａ，２ｂあるいは連結棹１１ａ，１１ｂの破損を防止することができる。
（８）チルトランナー９ａ，９ｂの円筒部２６をエンドキャップ６ａ，６ｂの保持部２５に嵌合することにより、チルトランナー９ａ，９ｂをハンガーレール１の端部に保持して、スラット４を最大限まで引き出した状態を容易に維持することができる。
（第二の実施の形態）
図１１〜図１５は、第二の実施の形態を示す。第一の実施の形態と同一構成部分は同一符号を付して説明する。
【００３９】
この実施の形態は、図１３に示すように、第一及び第二のスラット群３１ａ，３１ｂの中間部にチルトランナー３２と操作棒３３を備えたものである。第一のスラット群３１ａは遮光性を備えた生地で形成され、第二のスラット群３１ｂは透光性を備えたレース生地で形成される。
【００４０】
第一及び第二のスラット群３１ａ，３１ｂの両側の操作棒１０及びチルトランナー９ａ，９ｂは、前記第一の実施の形態と同様である。
チルトランナー３２は、図１１及び図１２に示すように、前記第一の実施の形態のチルトランナー９ａと同様な構成であり、連結棹３４ａ，３４ｂで両側に位置する中間先頭ランナー３５ａ，３５ｂに連結されている。
【００４１】
前記チルトランナー３２と連結棹３４ａ，３４ｂとは、第一の実施の形態と同様に長孔１７と連結軸１８とで連結される。また、連結棹３４ａ，３４ｂと中間先頭ランナー３５ａ，３５ｂとは、第一の実施の形態と同様に車軸２０と円孔１９とで連結され、その他の構成は第一の実施の形態と同様である。
【００４２】
そして、操作棒３３の回転操作により、チルト軸５を回転させて、各スラット群３１ａ，３１ｂを同位相で角度調節可能であり、操作棒３３の移動操作により、第一あるいは第二のスラット群３１ａ，３１ｂをハンガーレール１に沿って引き出し、あるいは畳み込み可能である。その他の構成は、前記第一の実施の形態と同様である。
【００４３】
このように構成された縦型ブラインドでは、図１３に示すように、操作棒３３をハンガーレール１の左端側へ移動させると、第一のスラット群３１ａが畳み込まれ、第二のスラット群３１ｂが引き出される。そして、この状態で第二のスラット群３１ｂを角度調節すれば、レース生地を透した柔らかな外光の採光量を調節可能である。
【００４４】
また、図１４に示すように、操作棒３３をハンガーレール１の右端側へ移動させると、第二のスラット群３１ｂが畳み込まれ、第一のスラット群３１ａが引き出される。そして、この状態で第一のスラット群３１ａを角度調節すれば、遮光性を備えた生地により採光量を調節可能である。
【００４５】
また、図１５に示すように、操作棒３３をハンガーレール１の中央部に位置させ、両側の操作棒１０をハンガーレール１の中央部に移動させれば、第一及び第二のスラット群３１ａ，３１ｂがハンガーレール１の中央部に畳み込まれる。
【００４６】
この実施の形態の縦型ブラインドでは、次に示す作用効果を得ることができる。
（１）第一及び第二のスラット群３１ａ，３１ｂの間に吊下支持される操作棒３３を操作することにより、ハンガーレール１にレース生地の第二のスラット群３１ｂを引き出す状態と、遮光性を備えた生地の第一のスラット群３１ａを引き出す状態とを選択することができる。
（２）第一及び第二のスラット群３１ａ，３１ｂの両側に吊下支持される操作棒１０を操作することにより、第一及び第二のスラット群３１ａ，３１ｂをハンガーレール１の中央部に畳み込むことができる。
（３）異なる素材のスラットを適宜に選択して使用することができる。
【００４７】
上記実施の形態は、以下の態様で実施してもよい。
・前記ケース１２に長孔を設け、前記連結棹１１ａ，１１ｂに連結軸を設けて、ケース１２を連結棹１１ａ，１１ｂに対し回動不能としてもよい。
・前記スラット群は異なる素材で形成した３種類以上のスラット群としてもよい。
【図面の簡単な説明】
【００４８】
【図１】縦型ブラインドを示す正面図である。
【図２】縦型ブラインドを示す平面図である。
【図３】ランナーを示す正面図である。
【図４】ハンガーレール右端側のチルトランナーを示す側面図である。
【図５】ハンガーレール右端側のチルトランナーを示す正面図である。
【図６】ハンガーレール右端側のチルトランナーを示す平面図である。
【図７】ハンガーレール左端側のチルトランナーを示す正面図である。
【図８】エンドキャップを示す底面図である。
【図９】連結棹の別例を示す斜視図である。
【図１０】連結棹の別例を示す正面図である。
【図１１】第二の実施の形態のチルトランナー及び中間先頭ランナーを示す正面図である。
【図１２】第二の実施の形態のチルトランナー及び中間先頭ランナーを示す平面図である。
【図１３】第二の実施の形態の縦型ブラインドの動作を示す正面図である。
【図１４】第二の実施の形態の縦型ブラインドの動作を示す正面図である。
【図１５】第二の実施の形態の縦型ブラインドの動作を示す正面図である。
【符号の説明】
【００４９】
１          ハンガーレール
２          ランナー
２ａ，２ｂ      先頭ランナー
４          スラット
５          チルト軸
６ａ，６ｂ      エンドキャップ
９ａ，９ｂ，３２        チルトランナー
１０，３３        操作棒
１１ａ，１１ｂ，３４ａ，３４ｂ      連結棹
１２        ケース
１３        入力軸
１４        出力軸
１６        掛止孔
２０        車軸
２５        保持手段（保持部）
３１ａ，３１ｂ      スラット群
３５ａ，３５ｂ      中間先頭ランナー
【図１】
2006283544.tif 000003
【図２】
2006283544.tif 000004
【図３】
2006283544.tif 000005
【図４】
2006283544.tif 000006
【図５】
2006283544.tif 000007
【図６】
2006283544.tif 000008
【図７】
2006283544.tif 000009
【図８】
2006283544.tif 000010
【図９】
2006283544.tif 000011
【図１０】
2006283544.tif 000012
【図１１】
2006283544.tif 000013
【図１２】
2006283544.tif 000014
【図１３】
2006283544.tif 000015
【図１４】
2006283544.tif 000016
【図１５】
2006283544.tif 000017